(57)【特許請求の範囲】
【請求項１】
被検体に超音波を送受信する探触子と、この探触子で受信した反射エコー信号から血流によるドプラ偏移成分を検波し、該検波した検波信号を周波数毎の輝度レベルに変換してドプラ像を生成する手段と、前記ドプラ像を表示する表示器と、を備えた超音波診断装置において、
前記ドプラ像の波形の特徴箇所の時相を検出して、前記時相に対応する前記ドプラ像の波形にマーカを生成する計測観測位置情報発生手段を備え、前記表示器は前記マーカが付加された前記ドプラ像と前記時相に対応する計測結果を表示することを特徴とする超音波診断装置。
【請求項２】
前記特徴箇所は、前記ドプラ像の最高血流速、第二のピーク流速、又は最低流速のうち少なくとも何れか１つを含むことを特徴とする請求項１に記載の超音波診断装置。
【発明の詳細な説明】
【０００１】
【発明の属する技術分野】
本発明は、リアルタイムのドプラ計測をする超音波診断装置に係り、特に計測情報データを表示して使い勝手を向上した超音波診断装置に関する。
【０００２】
【従来の技術】
従来のドプラリアルタイム計測機能は、スクロールするドプラ画像に於いて、リアルタイムで血流計測値の変化が認識することが出来るため、静止画像による計測に比べて非常に診断効率の向上につながっている。しかし、現在のドプラリアルタイム計測機能は、ドプラ画像と計測結果の数値を表示するだけであったので、血流の噴出しの時相や最高流速の時相を視覚で確認することが出来なかった。
【０００３】
図３は従来の２面表示方法を示すもので、モニタ９０には、断層像３１とドプラ像３２とが表示される。このドプラ像３２は横軸に時間ｔ、縦軸に周波数ｆで示され、スクロールによりリアルタイムに表示させており、医師が所望の一心拍について、フリーズしてリアルタイム画像を静止画像にして、その血流噴出口と血流終了点との２点、すなわち、観測時相の点を選択すると、超音波装置本体はソフトウェアにより、この点間における、例えば、心臓の血流の最高流速、この血流の第二のピーク流速などを計測し、その計測結果３３は断層像３１を表示したモニタ９０の左半分の画面の左上に表示されるようになっている。なお、図中３４は被検体の輝度方向に打ち出した超音波のビームラインを示す。
【０００４】
【発明が解決しようとする課題】
従来の技術では、超音波装置本体のソフトウエアにより、リアルタイムで計測結果をモニタに表わしていたが、医師は観測時相が実際の観測時相に一致するものなのか否かを判定することはできなかった。
【０００５】
本発明の目的は上述の点にかんがみ、従来のドプラリアルタイム計測機能に時相を確認できる計測観測位置情報、例えばマーカや文字情報をグラフィックでドプラ像に重ねて表示することにより、よりリアルタイムドプラ計測を使い易くし、診断効率を向上させるようにするものである。
【０００６】
【課題を解決するための手段】
上記目的は、被検体に超音波を送受信する探触子と、この探触子で受信した反射エコー信号から血流によるドプラ偏移成分と位置幅のドプラデータとの検波信号を検出する手段と、該検波した検波信号を周波数毎の輝度レベルに変換する手段と、該変換した輝度レベルから血流パターンを算出する手段と、前記周波数毎の輝度レベルと前記血流パターンを併せて表示する表示器とを備えた超音波診断装置において、前記血流パターンの波形の特微量に対応するマーカや文字情報の計測情報データを生成する計測観測位置情報発生手段を備え、前記計測観測位置情報発生手段は、該生成した計測情報データを前記特微量の近傍に表示させる。また、前記特徴量の時相を検出し、前記計測情報は前記時相の近傍に表示される。前記計測情報は、最高流速に対応する表示情報と、最低流速に対応する表示情報と、第2のピーク流速に対応する表示情報の内の少なくとも1つを含む。この前記計測情報は、マーカや文字情報である。
【０００７】
【発明の実施の形態】
以下、本発明の実施の形態を添付図面に基づいて詳細に説明する。
図１は本発明による超音波診断装置の実施例を示すブロック図である。
この超音波診断装置は、被検体内の診断部位に対して超音波を送受信し、得られた反射エコー信号から断層像とドプラ画像を表示するもので、図１に示すように、探触子１０と、超音波送受信部２０と、ドプラ検波部３０と、周波数分析部４０と、ドプラ計測部５０と、画像表示部６０と、操作パネル７０と、中央制御部８０と、ＴＶモニタ９０とを有し、更にマーカー作成部１００を備えて成る。
【０００８】
探触子１０は、被検体内の診断部位に対して超音波を送受信するもので、図示省略したがその内部には、超音波の発生源であると共に反射波を受信する振動子を有している。
【０００９】
超音波送受信部２０は、探触子１０の送信信号を供給すると共に該探触子１０で受信した反射信号を整相するもので、図示省略したがその内部には、送信信号を供給する送波回路と、受信信号を増幅する受波増幅器と、増幅された信号を整相する遅延回路、加算器と、それらを制御する制御回路とを有している。
【００１０】
ドプラ検波部３０は、受信した反射エコー信号から血流によりドプラ偏移を受けた成分を検出すると共にこの検出された血流信号について被検体内の深度方向に打ち出した超音波ビームライン上の血流情報を取り込み、更に不要な周波数成分を取除く信号処理するものである。
【００１１】
周波数分析部４０は、ドプラ検波部３０で取り込んだ血流信号を周波数分析すると共に各周波数成分の輝度レベルを算出するものである。
【００１２】
ドプラ計測部５０は、周波数分析部４０から得られた、血流のスペクトラムパターンから一心拍中の血流の流入時相、血流のピーク時相、血流の流出時相等を導き出し、各種血流計測演算をリアルタイムで行うものである。
【００１３】
画像表示部６０は、断層像及びドプラ画像をテレビモニタに表示させる信号処理を行うものである。
【００１４】
操作パネル７０は、中央制御部８０に接続され各種の操作指令を入力するものである。
【００１５】
中央制御部８０は、上記各構成要素の動作を制御するものである。
【００１６】
モニタ９０は、観察用のＴＶモニタである。
【００１７】
本発明においては、ドプラ計測部５０と画像表示部６０との間に計測観測位置情報発生部１００を設け、例えば、マーカ、文字情報などを発生するように構成する。この計測観測位置情報発生部１００は、中央制御部８０によりその動作を制御され、ドプラ計測部５０から送られてくる例えば心臓のドプラ像の最高血流速、第二のピーク流速、最低流速などの時相を検出しこの時相に対応したところのドプラ像の波形にマーカや文字情報などの計測位置情報を付加してこの波形を画像表示部６０に送るようにする。
【００１８】
次に図１、図２を用いて本発明の作用を簡単に説明する。図２はモニタ９０の２画面表示であって、左側の画面には断層像３１、計測結果３３およびビームライン３４が表示される。その表示方法は従来と同じである。次にモニタ９０の右側の画面には、従来と同様にスクロールにより、リアルタイムでドプラ像３２が表示されるが、この場合、本発明ではドプラ計測部５０から出力されるドプラ像３２の波形を、計測観測位置情報発生部１００が監視し、血流の最高流速ＶＥ、血流の第二のピーク流速ＶＡ、血流の最低流速ＶＤを検出したときには、この検出時相における波形に、それぞれマーカ２１、２２および２３を付加し、この付加された波形を画像表示部６０に送り、モニタ９０には、マーカ２１、２２、２３および文字ＶＥ、ＶＡ、ＶＤが付加されたドプラ像３２が表示される。それとともに、モニタ９０の左画面には、マーカ２１、２２、２３などにおける時相に対応する計測結果３３が表示される。
【００１９】
なお、上記実施例では、マーカと文字とを同時に表示するようにしたが、文字を除き、マーカのみの表示にしても、本発明の目的を達成することが出来る。
【００２０】
【発明の効果】
本発明によれば、観測すべきドプラ像の波形の時相に対応して、この波形にマーカや文字を付加したので、医師は計測結果がどの時相に対応しているのかを自動的に知ることができ、従来のように、時相を２点選択操作する必要がない。
【図面の簡単な説明】
【図１】本発明の実施例を示すブロック図である。
【図２】図１の作用を説明するための説明図である。
【図３】従来装置の作用を説明するための図である。
【符号の説明】
１０  探触子
２０  超音波送受信部
２１、２２、２３  マーカ
３０  ドプラ検波部
４０  周波数分析部
５０  ドプラ計測部
６０  画像表示部
７０  操作パネル
８０  中央制御部
９０  モニタ
１００  計測観測位置情報発生部
【図１】
0004685209.tif 000002
【図２】
0004685209.tif 000003
【図３】
0004685209.tif 000004